(57)【特許請求の範囲】
【請求項１】
掃除機本体と一体として形成された中空の円筒形ハブ；
上記円筒形ハブの外周面に回転自在に装着され、上記掃除機本体を支持し床面上を転がる環状ローラー；
上記環状ローラーの内側面と滑り接触して上記ローラーが回転可能になるように支持するための第１手段；そして
上記第１手段及び環状ローラーが上記ハブから離脱しないように上記ハブに着脱自在に装着され、上記環状ローラーを支持するための第２手段；を含む真空掃除機の輪。
【請求項２】
上記環状ローラーは環状のリム、そして上記リムの一側から半径方向内側に突出する環状フランジを備えた請求項１記載の真空掃除機の輪。
【請求項３】
上記第１手段は第１ディスクプレート、そして上記第１ディスクプレートから上記第１ディスクプレートに直角方向に突出して上記ハブと上記リムとの間に嵌められる円筒形支持リングを備えた支持部材を含む請求項２記載の真空掃除機の輪。
【請求項４】
上記ハブの円筒形外周面には一定な円周方向間隔で互いに離隔された多数のＬ形のロッキングホールが、そして前面には各々一定な円周方向間隔で互いに離隔された多数の第１係合ホール及び第１スナップホールが形成され、上記第１ディスクプレートには各々一定な円周方向間隔で互いに離隔され各々上記第１係合ホール及び上記第１スナップホールに対応する多数の第２係合ホール及び第２スナップホールが形成され、上記第２手段は上記支持リングの円筒形内面上に具備され半径方向内側に突出し各々上記ロッキングホールに係合される多数のキー突起、そして、第２ディスクプレート、上記第２ディスクプレートの一面に形成され各々一定な円周方向間隔で互いに離隔され各々上記第１及び第２係合ホール及び上記第１及び第２スナップホールを貫通して締結される多数の係合突起及びスナップ突起を備えたキャップを含む請求項３記載の真空掃除機の輪。
【請求項５】
上記支持リングと上記リムとの間の摩擦を減少するための第３手段を更に含む請求項３記載の真空掃除機の輪。
【請求項６】
上記第３手段は上記支持リングの円筒形外面上に半径方向外側に突出して上記リムと滑り接触する多数のリジを含む請求項５記載の真空掃除機の輪。
【請求項７】
上記第３手段は上記リムの内周面から半径方向内側に突出して上記支持リングと滑り接触する多数のリジを含む請求項５記載の真空掃除機の輪。
【請求項８】
上記第１手段は上記ハブと上記リムとの間に嵌められる円筒形支持リングを備えた支持部材を含む請求項２記載の真空掃除機の輪。
【請求項９】
上記ハブの円筒形外周面の前方部分には一定な円周方向間隔に互いに離隔された多数のＬ形のロッキングホール、そして前面には一定な円周方向間隔で互いに離隔された多数のスナップホールが形成され、上記第２手段は上記支持リングの円筒形内面上に半径方向内側に突出し各々上記ロッキングホールに係合する多数のキー突起、そして、ディスクプレート、上記ディスクプレートの一面に形成され一定な円周方向間隔で互いに離隔され上記ロッキングホール内の上記キー突起を横に挿入する多数の係合突起及び上記一面で一定な円周方向間隔で互いに離隔され上記スナップホールに係合されるスナップ突起を備えたキャップを含む請求項８記載の真空掃除機の輪。
【請求項１０】
上記支持リングと上記リムとの間の摩擦を減少させるための第３手段を更に含む請求項８記載の真空掃除機の輪。
【請求項１１】
上記第３手段は上記支持リングの円筒形外面上に半径方向外側に突出し、上記リムと滑り接触する多数のリジを含む請求項１０記載の真空掃除機の輪。
【請求項１２】
上記第３手段は上記リムの内周面から半径方向内側に突出して上記支持リングと滑り接触する多数のリジを含む請求項１０記載の真空掃除機の輪。
【請求項１３】
上記第１手段はディスクプレート、そして、上記ディスクプレートの端から上記ディスクプレートに直角に突出して上記ハブと上記リムとの間に嵌められる円筒形支持リングを備えたキャップを含む請求項２記載の真空掃除機の輪。
【請求項１４】
上記ハブの円筒形外周面の前方部分には一定な円周方向間隔で互いに離隔された多数のＬ形のロッキングホールが形成され、上記ハブの前面には一定な円周方向間隔で互いに離隔された多数のスナップホールが形成され、各々のスナップホールの一側縁部には弾性フラップが備えられ、上記第２手段は上記支持リングの円筒形内面上に半径方向内側に突出し各々上記ロッキングホールに係合される多数のキー突起、そして、上記ディスクプレート上で上記支持リングと同一な方向に突出し一定な円周方向間隔で互いに離隔され、上記弾性フラップを押し入り上記スナップホールに係合されるスナップ突起を含む請求項１３記載の真空掃除機の輪。
【請求項１５】
上記支持リングと上記リムとの間の摩擦を減少されるための第３手段を更に含む請求項１３記載の真空掃除機の輪。
【請求項１６】
上記第３手段は上記支持リングの円筒形外面上から半径方向外側に突出し、上記リムと滑り接触する多数のリジを含む請求項１５記載の真空掃除機の輪。
【請求項１７】
上記第３手段は上記リムの内周面から半径方向内側に突出して上記支持リングと滑り接触する多数のリジを含む請求項１５記載の真空掃除機の輪。
【発明の詳細な説明】
【０００１】
【産業上の利用分野】
本発明は真空掃除機の輪に関し、特に真空掃除機の小型化を図り、その分解組立が容易な真空掃除機の輪に関する。
【０００２】
【従来の技術】
真空掃除機はブラシを通じて塵、その他の汚物を吸入して集塵室へ集塵する器具で、図７に示すようにモーター、その他相対的に重い部品を内装する掃除機本体１０、塵等の汚物を吸着するためのブラシ１２、そして上記ブラシ１２及び上記掃除機本体１０を互いに連結する延長管１６及び可撓性ホース１４を含む。上記真空掃除機本体の荷重を支えながらその移動を容易にするために、本体１０の下面前方には前方輪１８、そして、後方輪２０が設置されている。
例えば、図７には一般的なキャニスタ（ｃａｎｉｓｔｅｒ）タイプを示したが、ブラシと本体とが一体となっているアプライト（ｕｐｒｉｇｈｔ）タイプ又はその他の形態の真空掃除機もやはり本体を支持しその移動を保障するための輪を備えることは同様である。
【０００３】
図８は上記のような掃除機の１つの輪２０の分解斜視図である。上記輪２０は、掃除機本体１０の一側壁に一体として設置されたハブ３０と、各々本体１０と分離されたローラー４０、内側キャップ５０、そして外側キャップ６０とを含む。ハブ３０の内部空間には本体と一体となっている多数のボス３２が設置されている。
ローラー４０の中央には中央開口４８が形成され、中央開口４８の円周部に設置された円筒形フランジ４４、外周部に備えられたリム４２、そして上記リム４２とフランジ４４との間を連結するスカート４６を具備する。フランジ４４の内面にはギヤーが形成されている。
内側キャップ５０の中央には上記ボス３２に対応する多数のスクリューホールが５２形成され、上記スクリューホール５２の周りに上記フランジ４４より大きい直径の環状溝５４が形成されている。
外側キャップ６０は上記環状溝５４の直径と同一である。
【０００４】
一方、上記本体部１０の両側に輪２０を装着する場合には、図９に示すように、ローラー４０のフランジ４４の内側の中央開口４８にハブ３０を嵌め、その上に内側キャップ５０を被せた後、スクリュー５６をスクリューホール５２、中央開口４８を通じて貫通させた後ボス３２に締結させることで内側キャップ５０を固定させる。次に外側キャップ６０を環状溝５４に嵌めて組立を完了する。
この際、前述のようにハブ３０、内側キャップ５０及びキャップ６０は固定された反面ローラー４０のみ回転可能になるように設置されるが、フランジ４４の内面にギヤーが形成されていることによってハブ３０の外面との間の摩擦が減少することになる。一般的な車両の輪とは違って、このように輪全体が回転しないでローラー４０のみ回転する、相対的に簡単な構造を採択する理由は、真空掃除機は一般車両に比べて軽く、また真空掃除機の輪は相対的にその回転数が少なく高速回転を必要としないからである。
【０００５】
しかし、以上のような構造の輪ではローラー４０の離脱を防止するための内側キャップ５０がネジによって固定されるためネジの締結のための別途のボス３２が必要になるのみならず輪が占める空間が大きくなり、全体的にその組立及び分解が容易ではないという欠点がある。また、図９に示すようにハブ３０が占める空間を利用することができないため全体的に真空掃除機が大きくなるという欠点がある。
【０００６】
【発明が解決しようとする課題】
本発明は以上のような従来技術の問題点を解決するために案出されたもので、本発明の目的は分解及び組立が簡単であり、組立のための別途の部材を必要としないで、掃除機内部空間の利用度を高くすることで、掃除機の大きさを全体的に小さくすることができる真空掃除機の輪を提供することにある。
【０００７】
【課題を解決するための手段】
以上のような目的を達成するために、本発明は、掃除機本体と一体として形成された中空の円筒形ハブ；上記掃除機本体を支持し床面上を転がるローラー；上記ローラーと滑り接触して上記ローラーが回転可能になるように支持するための第１手段；そして、上記第１手段を上記ハブに固定されるための第２手段を含む真空掃除機の輪を提供する。
好ましくは、上記ローラーは環状のリム、そして上記リムの一側縁部から半径方向内側に突出する環状フランジを備える。
本発明の一実施例によれば、上記第１手段は第１ディスクプレート、上記第１ディスクプレートの一側面の端から上記第１ディスクプレートに直角方向に突出する円筒形支持リング、そして、上記支持リングの外周面上に半径方向外側に突出して上記リムと滑り接触する多数のリジを備えた支持部材を含む。
【０００８】
上記ハブの円筒形外周面には一定な円周方向間隔で互いに離隔された多数のＬ形のロッキングホールが、そして前面には各々一定な円周方向間隔で互いに離隔された多数の第１係合ホール及び第１スナップホールが形成され、上記第１ディスクプレートには各々一定な円周方向間隔で互いに離隔され各々上記第１係合ホール及び上記第１スナップホールに対応する多数の第２係合ホール及び第２スナップホールが形成され、上記第２手段は上記支持リングの円筒形内面上に具備され半径方向内側に突出し各々上記ロッキングホールに係合される多数のキー突起、そして、第２ディスクプレート、上記第２ディスクプレートの一面に形成され各々一定な円周方向間隔で互いに離隔され各々上記第１及び第２係合ホール及び上記第１及び第２スナップホールを貫通して締結される多数の係合突起及びスナップ突起を備えたキャップを含む。
【０００９】
本発明のまた他の実施例によれば、上記第１手段は円筒形支持リング、そして上記支持リングの外周面上に半径方向外側に突出し上記リムと滑り接触する多数のリジを備えた支持部材を含み、上記ハブの円筒形外周縁の前方部分には一定な円周方向間隔に互いに離隔された多数のＬ形のロッキングホール、そして、前面には一定な円周方向間隔で互いに離隔された多数のスナップホールが形成され、上記第２手段は上記支持リングの内側円筒形内面上に半径方向内側に突出し各々上記ロッキングホールに係合する多数のキー突起、そして、ディスクプレート、上記ディスクプレートの一面に形成され一定な円周方向間隔で互いに離隔され上記ベースリングの内側円周部に係合される多数の係合突起、そして、上記一面で一定な円周方向間隔に互いに離隔され上記スナップホールに係合されるスナップ突起を備える。
【００１０】
本発明のまた他の実施例によれば、上記第１手段はディスクプレート、そして、上記ディスクプレートの端から上記ディスクプレートに直角で突出する円筒形支持リング、上記支持リングの外周面上から半径方向外側に突出し上記リムと滑り接触する多数のリジを備え、上記ハブの円筒形外周面の前方部分には一定な円周方向間隔で互いに離隔された多数のＬ形のロッキングホールが形成され、上記ハブの前面には一定な円周方向間隔で互いに離隔された多数のスナップホールが形成され、各々のスナップホールの一側縁部には弾性フラップが備えられ、上記第２手段は上記支持リングの内側円周面上に半径方向内側に突出し各々上記ロッキングホールに係合される多数のキー突起、そして、上記ディスクプレート上で上記支持リングと同一方向に突出し、一定な円周方向間隔に互いに離隔され上記弾性フラップを押し入り上記スナップホールに係合されるスナップ突起を備えたキャップを含む。
【００１１】
【作用】
以上のような構成を備えた本発明による輪の組立の際には、上記支持リングの外周面に備えられた多数のリジが上記リムの内面に密着するように、そして、上記支持リングの内側自由端が上記フランジに接するように上記支持リングを上記ローラー内側に嵌める。次に、キー突起がロッキングホール内に、そして、スナップ突起がスナップホール内に係合されるように第１及び第２手段をハブに組み立てる。
輪の駆動の際には、上記第１手段及び第２手段は上記ハブに固定されていることによって回転することなく、上記ローラーのみ回転する。この際、上記リムの半径方向内面は上記リジと滑り接触をする。上記ハブは中空の円筒体となているので、内部空間の利用が可能である。
【００１２】
【実施例】
以下、添付図面を参照して本発明の実施例について詳細に説明する。
実施例１
図１及び図２は本発明の実施例１に係る真空掃除機の輪の分解斜視図及び側断面図である。同図に示すように、上記真空掃除機の輪は本体１００の一側面に形成されたハブ１３０、そして、本体と分離されたローラー１４０、支持部材１５０、及びキャップ１６０を含む。
図１及び図２でも明らかなように、ハブ１３０はその直径が本体１００の直径に近く、中空の円筒タンク形状をなしている。
ハブ１３０には、円筒形外周面の前方部分に一定な円周方向間隔で互いに離隔された多数のＬ形のロッキングホール１３２、そして、前面に各々一定な円周方向間隔で互いに離隔された多数の第１係合ホール１３４及び第１スナップホール１３６が形成されている。
【００１３】
ローラー１４０は、掃除機本体の移動地域の床面に転がり接触する環状のリム１４２、そして、リム１４２の一側縁部から半径方向内側に突出するフランジ１４４を備えている。
支持部材１５０は、第１ディスクプレート１５１、第１ディスクプレート１５１の一側面の端から第１ディスクプレート１５１に直角方向に突出する円筒形支持リング１５３、支持リング１５３の外周面上に半径方向外側に突出し第１ディスクプレート１５１に直角方向に延長する多数の段付き部すなわちリジ（ｒｉｄｇｅ）１５５、そして、支持リング１５３の内側円周面上から半径方向内側に突出し各々ロッキングホール１３２に対応する多数のキー突起１５２を備える。第１ディスクプレート１５１には、各々一定な円周方向間隔で互いに離隔され、各々第１係合ホール１３４及び第１スナップホール１３６に対応する多数の第２係合ホール１５４及び第２スナップホール１５６が形成されている。
キャップ１６０は、第２ディスクプレート１６１、第２ディスクプレート１６１の一面に形成され各々一定な円周方向間隔で互いに離隔され各々第１及び第２係合ホール１３４、１５４、そして、第１及び第２スナップホール１３６、１５６に対応する多数の係合突起１６４及びスナップ突起１６６を備える。
一方、本実施例ではリジ１５５が支持リング１５３の外周面に形成されているが、リジ１５５をリム１４２の内面に形成することもできる。
【００１４】
以上のような構成となっている本発明の一実施例に係る輪は次のように組み立てる。
先ず、支持リング１５３の外周面に具備された多数のリジ１５５がリム１４２の内面に密着するように、そして支持リング１５３の内側自由端がフランジ１４４に接するように支持部材１５０をローラー１４０内側に嵌める。次に、キー突起１５２をロッキングホール１３２内に嵌めた後ホール１３２の形状に沿って回転させ、互いに組み立てられたローラー１４０及び支持部材１５０をハブ１３０に結合させる。この際に、第１及び第２係合ホール１３４、１５４、そして、第１及び第２スナップホール１３６、１５６は各々互いに整列される。その次に、キャップ１６０の係合突起１６４を第１及び第２係合ホール１３４、１５４、そして、スナップ突起１６６を第１及び第２スナップホール１３６、１５６内に貫通挿入してキャップ１６０を支持部材１５０の外面上に締結する。キャップ１６０は、スナップ突起１６６の第１及び第２スナップホール１３６、１５６内への締結によって維持され、係合突起１６６の第１及び第２係合ホール１３６、１５６内への締結によって回転が防止される。図２には以上のように締結された輪の断面図が示されている。
【００１５】
輪の駆動の際には、支持部材１５０及びキャップ１６０はハブ１３０に固定されていることによって回転することなく、ローラー１４０のみ回転する。この際、リム１４２の半径方向内面はリジ１５５と滑り接触をすることになり、ロッキングホール１３２がローラー１４０の主回転方向に屈曲延長するようにすることでキー突起１５２とロッキングホール１３２との間の係合を解除するための力の作用を防止し得るようにするのが望ましい。
上記実施例１に係る輪では、ネジ締結のための別途の部材が必要なく、従って、その部材のための空間程の輪の占める嵩を小さくすることができる。また、輪の組立及び分解も簡単になるという利点がある。また、ハブ１３０を本体１００の直径とほぼ同一な中空形態にすることによって、本体のハブ内側空間を利用することができるので、本体の嵩を減少することができるという利点がある。
【００１６】
実施例２
図３及び図４には本発明の実施例２に係る真空掃除機の輪が示されている。同図に示すように、上記真空掃除機の輪は、本体１００の一側面に形成されたハブ２３０、そして本体と分離されたローラー２４０、支持部材２５０、及びキャップ２６０を含む。
ハブ２３０には、外周面の前方部分に一定な円周方向間隔で互いに離隔された多数のＬ形のロッキングホール２３２、そして、前面に一定な円周方向間隔で互いに離隔されたスナップホール２３６が形成されている。
ローラー２４０は、掃除機本体の移動地域の床面に転がり接触する環状のリム２４２、そして、リム２４２の一側縁部から半径方向内側に突出するフランジ２４４を備える。
【００１７】
支持部材２５０は、円筒形支持リング２５３、支持リング２５３の外周面から半径方向外側に突出する多数の段付き部すなわちリジ（ｒｉｄｇｅ）２５５、そして、支持リング２５３の内側円周面の一端から半径方向内側に突出し各々ロッキングホール２３２に対応する多数のキー突起２５２を備える。
キャップ２６０には、ディスクプレート２６１、ディスクプレート２６１の一面に形成され一定な円周方向間隔で互いに離隔され上記ロッキングホール２３２に対応する多数の係合突起２６４、そして、一定な円周方向間隔で互いに離隔されスナップホール２３６に対応するスナップ突起２６６が形成されている。
一方、本実施例でリジ２５５は、支持リング２５３の外周面に形成されているが、リジ２５５をリム２４２の内面に形成することもできる。
【００１８】
以上のような構成となっている本発明の一実施例に係る輪は次のように組み立てる。
先ず、支持リング２５３の外周面に備えられた多数のリジ２５５がリム２４２の内面に密着されるように、そして、支持リング２５３の上記キー突起２５２が突出する一端がフランジ２４４に接するように支持部材２５０をローラー２４０内側に嵌める。次に、キー突起２５２をロッキングホール２３２内にはめた後ホール２３２の形状に沿って反時計方向に回転させ、組み立てられたローラー２４０及び支持部材２５０をハブ２３０に結合させる。その次に、キャップ２６０の係合突起２６４をロッキングホール２３２内の上記キー突起２５２の後側空間に係合されるようにしながらスナップ突起２６６をスナップホール２３６内に貫通挿入してキャップ２６０を支持部材２５０の外面上に締結させる。従って、係合突起２６４はキー突起２５２がロッキングホール２３２から離脱するのを防止する。キャップ２６０はスナップ突起２６６のスナップホール２３６内への締結によって軸方向離脱が防止される。図４には以上のように締結された輪の断面図が示されている。
【００１９】
輪の駆動の際には、支持部材２５０及びキャップ２６０はハブ２３０に固定されているため回転することなく、ローラー２４０のみ回転する。この際、リム２４２の半径方向内面はリジ２５５と滑り接触することになり、ロッキングホール２３２がローラー２４０の主回転方向に屈曲延長するようにすることでキー突起２５２とロッキングホール２３２との間の係合を解除するための力の作用を防止し得るようにするのが望ましい。
以上のような本実施例によれば、上記実施例１でのように優れた効果が得られるのみならず、その上第１ディスクプレート１５１のような部材を節減することができ、真空掃除機の輪の製造において、第１及び第２係合ホール１３４、１５４形成工程を省略することができるので製作がより容易になり製作費が節減されるという利点がある。
【００２０】
実施例３
図５及び図６には本発明の実施例３に係る真空掃除機の輪が示されている。同図に示すように、上記真空掃除機の輪は本体１００の一側面に形成されたハブ３３０、そして、本体と分離されたローラー３４０、及びキャップ３６０を含む。ハブ３３０には、外周面の前方部分に一定な円周方向間隔で互いに離隔された多数のＬ形のロッキングホール３３２、そして、前面に一定な円周方向間隔で互いに離隔された多数のスナップホール３３６が形成されている。各々のスナップホール３３６の一側縁部には弾性フラップ３３９を備えている。
ローラー３４０は、掃除機本体の移動地域の床面に転がり接触する環状のリム３４２、そして、リム３４２の一側縁部から半径方向内側に突出するＴ形フランジ３４４を備える。
キャップ３６０は、ディスクプレート３６１、ディスクプレート３６１の外周部付近からディスクプレート３６１に直角で突出する円筒形支持リング３５３、支持リング３５３の内側外周面上に変形方向に突出し各々ロッキングホール３３２に対応する多数のキー突起３５２、支持リング３５３の半径方向外面から半径方向外側に突出しディスクプレート３６１に対して直角に延長する多数の段付き部すなわちリジ（ｒｉｄｇｅ）３５５、そして、ディスクプレート３６１上で支持リング３５３と同一方向に突出し一定な円周方向間隔で互いに離隔されスナップホール３３６に対応するスナップ突起３６６が形成されている。
一方、本実施例でリジ３５５は支持リング３５３の外周面に形成されているが、リジ３５５をリム３４２の内面に形成することもできる。
【００２１】
以上のような構成となっている本発明の実施例３に係る輪は次のように組み立てる。
先ず、リジ３５５がフランジ３４４の内面に密着されるようにキャップ３６０の支持リング３５３をローラー３４０の内側に嵌める。次に、キー突起３５２をロッキングホール３３２内に嵌める。この際、スナップ突起３６６はスナップ内に挿入される。そして、突起３５２がロッキングホール３３２の形状に沿って案内されるように組み立てられたローラー３４０及びキャップ３６０を回転しハブ３３０に結合させる。この際、スナップ突起３６６は、弾性フラップ３３９を押し入り弾性フラップ３３９によって弾性支持される。スナップ突起３６６のスナップホール内への締結によってキャップ３６０の分離及び回転が防止され、従って、キー突起３５２がロッキングホール３３２から離脱されるのが防止される。図６には以上のように締結された輪の断面図が示されている。
【００２２】
輪の駆動の際には、キャップ３６０はハブ３３０に固定されているため回転するうことなく、ローラー３４０のみ回転する。この際、リム３４２の半径方向内面は支持リング３５３と滑り接触をすることになる。ロッキングホール３３２はローラー３４０の主回転方向に屈曲延長するようにすることによってキー突起３５２とロッキングホール３３２との間の係合を解除するための力の作用を防止し得るようにするのが望ましい。
本実施例に係る輪は上記実施例１及び実施例２の場合より改良したものであり、支持リング３５３をキャップ３６０に一体として形成することで、支持部材を省略することができるので製作がより容易になり、また製作費が節減される。
以上では本発明の幾つかの実施例によって本発明を説明したが、実施例に限定されるものではなく、請求の範囲に記載された構成を逸脱しない限り適宜に変形して実施できる。
【００２３】
【発明の効果】
以上、上述のように、本発明に係る輪ではネジ締結のための空間ほどの輪の嵩を小さくすることができ、輪の組立及び分解が簡単な利点を有する。また、ハブを本体の直径とほぼ同一の中空形態にすることで、本体のハブ内側空間を利用することができるので本体の嵩を減少するという利点がある。その上、本発明の実施例２及び実施例３によれば、部材が節減され、製作がより容易になり製作費が節減される真空掃除機の輪を提供することができる。
【図面の簡単な説明】
【図１】本発明の実施例１に係る真空掃除機の輪の分解斜視図である。
【図２】本発明の実施例１に係る真空掃除機の輪の側断面図である。
【図３】本発明の実施例２に係る真空掃除機の輪の分解斜視図である。
【図４】本発明の実施例２に係る真空掃除機の輪の側断面図である。
【図５】本発明の実施例３に係る真空掃除機の輪の分解斜視図である。
【図６】本発明の実施例３に係る真空掃除機の輪の側断面図である。
【図７】従来の真空掃除機の概略構成図である。
【図８】従来の真空掃除機の輪の分解斜視図である。
【図９】従来の真空掃除機の輪の側断面図である。
【符号の説明】
１００    本体
１３０    ハブ
１３２    ロッキングホール
１３４    第１係合ホール
１３６    第１スナップホール
１４０    ローラー
１４２    リム
１４４    フランジ
１５０    支持部材
１５１    第１ディスクプレート
１５２    キー突起
１５３    支持リング
１５４    第２係合ホール
１５５    リジ（ｒｉｄｇｅ）
１５６    第２スナップホール
１６０    キャップ
１６１    第２ディスクプレート
１６４    係合突起
【図１】
0003550213.tif 000002
【図２】
0003550213.tif 000003
【図３】
0003550213.tif 000004
【図４】
0003550213.tif 000005
【図５】
0003550213.tif 000006
【図６】
0003550213.tif 000007
【図７】
0003550213.tif 000008
【図８】
0003550213.tif 000009
【図９】
0003550213.tif 000010